(57)【要約】【課題】ワンタッチで、かつ、リアルタイムに、不要な録画データを消去できるビデオカメラ装置を提供する。【解決手段】制御部１１と、前記制御部１１に各々接続された、カメラ部４と、記憶部１０と、消去ボタン６とを備え、前記記憶部１０はランダムにアクセス可能であり、録画開始後に、前記消去ボタン６が操作されると、前記制御部１１は前記記憶部１０に対し、所定時間に記憶された録画データを消去させる。また、望ましくは、前記所定時間は、録画開始時点から前記消去ボタン６の第１操作時点までの時間又は、前記消去ボタン６の第Ｎ（Ｎは１以上の整数）操作時点から第（Ｎ＋１）操作時点までの時間であるものとする。【選択図】        図２
2004207812.tif 000002
【特許請求の範囲】
【請求項１】
制御部と、前記制御部に各々接続された、カメラ部と、記憶部と、消去ボタンとを備え、前記記憶部はランダムにアクセス可能であり、録画開始後に、前記消去ボタンが操作されると、前記制御部は前記記憶部に対し、所定時間に記憶された録画データを消去させる事を特徴とするビデオカメラ装置。
【請求項２】
前記所定時間は、録画開始時点から前記消去ボタンの第１操作時点までの時間、又は、前記消去ボタンの第Ｎ（Ｎは１以上の整数）操作時点から第（Ｎ＋１）操作時点までの時間である事を特徴とする請求項１のビデオカメラ装置。
【請求項３】
前記所定時間は前記消去ボタンの第Ｎ（Ｎは１以上の整数）操作時点から、第（Ｎ＋１）操作時点より早い時刻までの時間である事を特徴とする請求項１のビデオカメラ装置。
【請求項４】
取消ボタンを設け、前記消去ボタンの第（Ｎ＋１）操作時点後に前記取消ボタンが操作されると、前記制御部は、前記消去ボタンの第Ｎ（Ｎは１以上の整数）操作時点から、前記取消ボタンの操作時点までの録画データを復帰させる事を特徴とする請求項１のビデオカメラ装置。
【発明の詳細な説明】
【０００１】
【発明の属する技術分野】
本発明は、ビデオカメラ装置に関する。
【０００２】
【従来の技術】
従来、ビデオカメラ装置等の映像記録装置では、信号入力部と、信号出力部と信号処理部と、記録再生部等が設けられていた。そして信号入力部（カメラ部）から入力された画像は、信号処理部と記録再生部を介して、ビデオテープに記録される。また、再生時には、ビデオテープに記録された録画データが記録再生部により再生され、信号処理部と信号出力部を介して、外部機器（テレビジョンなど）へビデオ信号が送られている（例えば、特許文献１を参照）。
【０００３】
【特許文献１】
特開平１０−３１２６０１号公報
【０００４】
【発明が解決しようとする課題】
この様に、上記ビデオカメラ装置では、記録媒体として、ビデオテープを使うため、シーケンシャルな記録しかできなかった。そのため、部分的に不要な録画データ（即ち、所定時間に記憶された録画データ）を消去するには、巻戻しボタンを操作し、ビデオテープを巻戻し、上書きする方法が用いられる。この様に不要な録画データを消去する手間が煩雑である第１の欠点がある。
【０００５】
また、いったん、全部の録画データを取り込んだ後に、消去作業するので、リアルタイム（即ち、記録作業と略同時進行で）に、録画データを消去できない第２の欠点がある。故に、本発明はこの様な従来の欠点を考慮し、ワンタッチで、かつ、リアルタイムに、不要な録画データを消去できるビデオカメラ装置を提供する。
【０００６】
【課題を解決するための手段】
上記課題を解決するために、請求項１の本発明では、制御部と、前記制御部に各々接続された、カメラ部と、記憶部と、消去ボタンとを備え、前記記憶部はランダムにアクセス可能であり、録画開始後に、前記消去ボタンが操作されると、前記制御部は前記記憶部に対し、所定時間に記憶された録画データを消去させるものである。
【０００７】
請求項２の本発明では、前記所定時間は、録画開始時点から前記消去ボタンの第１操作時点までの時間、又は、前記消去ボタンの第Ｎ（Ｎは１以上の整数）操作時点から第（Ｎ＋１）操作時点までの時間である。
【０００８】
請求項３の本発明では、前記所定時間は前記消去ボタンの第Ｎ（Ｎは１以上の整数）操作時点から、第（Ｎ＋１）操作時点より早い時刻までの時間である。
【０００９】
請求項４の本発明では、取消ボタンを設け、前記消去ボタンの第（Ｎ＋１）操作時点後に前記取消ボタンが操作されると、前記制御部は、前記消去ボタンの第Ｎ（Ｎは１以上の整数）操作時点から、前記取消ボタンの操作時点までの録画データを復帰させる。
【００１０】
【発明の実施の形態】
以下に、図１ないし図５に従い、本発明の実施の形態に係るビデオカメラ装置１を説明する。図１は本装置１の正面図、図２は本装置１のブロック図、図３は本装置１のフローチャート、図４は図３に続くフローチャート、図５は本装置１のタイムチャートである。
【００１１】
図１に示す様に、ケーシング２は例えば、金属やプラスチックから成り、略箱状に形成されている。ファインダー３は、使用者が覗くためのものであり、ケーシング２に接続されている。カメラ部４は被写体を撮影するものであり、内部にレンズ（図示せず）と、ＣＣＤ等が設けられ、直線状に移動できる様に、ケーシング２に設けられている。
【００１２】
マイク５はケーシング２に接続されている。消去ボタン６と、取消ボタン７と、録画ボタン８と、再生ボタン９は、各々、キー（スイッチ）等から成り、ケーシング２の表面に露出して設けられている。
【００１３】
記憶部１０はランダムにアクセス可能に構成されている。記憶部１０は例えばＨＤＤ（ハードディスクドライバ）や、ＤＶＤ−ＲＡＭ等から成る。記憶部１０は、ケーシング２内に設けられている。
【００１４】
次に図２に示す様に、制御部１１は、例えばＣＰＵ等から成る。消去ボタン６と、取消ボタン７と、録画ボタン８と、再生ボタン９は各々、入力部（インターフェース回路）１２を介して、制御部１１に接続されている。
【００１５】
カメラ部４は制御部１１に接続されている。被写体はカメラ部４のレンズにより収束され、収束された像はカメラ部４のＣＣＤにより、ビットマップ形式のデータに変換され、制御部１１に入力される。
【００１６】
再生部１３は例えば信号処理部等から成る。記憶部１０に記憶された録画データは、制御部１１を介して、再生部１３に入力される。再生部１３は上記録画データをビデオ信号に変換し、出力部１４へ出力する。出力部１４は信号線ケーブル（図示せず）を介し、テレビジョン（図示せず）の入力部に接続されている。
【００１７】
ＲＯＭ１５はリードオンリーメモリであり、制御部１１の制御プログラムを記憶しており、制御部１１に接続されている。ＲＡＭ１６はランダムアクセスメモリであり、制御部１１に接続されている。
【００１８】
表示部１７は例えば液晶表示装置等から成り、制御部１１に接続されている。この様に、カメラ部４と、記憶部１０と、消去ボタン６等は制御部１１に接続されている。以上の部品により、本ビデオカメラ装置１は構成されている。
【００１９】
次に、主に、図３ないし図５に従い、このビデオカメラ装置１の動作を説明する。例えば、このビデオカメラ装置１の使用者は、運動会において、我が子の徒競走のシーンを録画しようとしている、ものとする。
【００２０】
最初に、使用者は、ビデオカメラ装置１を持ち、ファインダー３を覗きながら徒競走のスタート地点近傍にピントを合わせ、録画ボタン８をオン状態に、押したとする。録画ボタン８は例えばトグルスイッチから成り、オン状態に押されると、オン状態（通電状態）が維持される。また、録画ボタン８は、オフ状態に押されると、オフ状態（非通電状態）が維持される。
【００２１】
この時、制御部１１は「録画ボタン８がオンか否か」の判定を肯定する（図３のＳ１を参照）。そして制御部１１は、記憶部１０に対して、録画位置の記憶データをクリアさせる（図３のＳ２を参照）。
【００２２】
次に制御部１１は、現在、録画中か否かを判定する（図３のＳ３を参照）。上記例では、ビデオカメラ装置１は、未だ録画していないので、制御部１１は、ステップＳ３の判定を否定する。
【００２３】
そして制御部１１は、録画中に設定する（即ち、録画モードに設定する事であり、図３のＳ４を参照）。次に制御部１１は、録画動作を開始させる（図３のＳ５と、図５のＳを参照）。
【００２４】
この時、徒競走のスタート時点近傍の風景（被写体）は、カメラ部４のレンズにより収束され、収束された像は、カメラ部４のＣＣＤにより、ビットマップ形式のデータに変換される。
【００２５】
上記データは、制御部１１を通り、記憶部１０内の記憶部分において、録画データとして記憶される。
【００２６】
次に制御部１１は、消去ボタン６が押されたか否かを判定する（図４のＳ６を参照）。上記例では、使用者が消去ボタン６を押していないので、制御部１１はステップＳ６の判定を否定する。
【００２７】
また、上記例では、使用者が取消ボタン７を押していないので、制御部１１は「取消ボタン７がオンか否か」の判定を否定する（図４のＳ７を参照）。
【００２８】
次に制御部１１は、図３のステップＳ１の直前に戻る。この様にして、制御部１１は、ステップＳ１〜Ｓ７の動作を繰り返す。その結果、記憶部１０内に、録画データが蓄積して記憶される。
【００２９】
上記録画動作が継続している時、使用者の子供が未だ、徒競走のスタート地点に居ない場合、使用者は無駄な録画を消去するために、消去ボタン６を第１回目に操作した（押した）ものとする。
【００３０】
この時、制御部１１は「消去ボタン６がオンしたか否か」の判定を肯定する（図４のＳ６を参照）。そして制御部１１は、記憶部１０に対し、録画データを消去させる（図４のＳ８を参照）。
【００３１】
この時、記憶部１０は、録画開始時点Ｓ（図５を参照）から、消去ボタン６の第１操作時点Ａ（図５を参照）までの時間（これを、経過時間と呼ぶ）において記憶された録画データを消去する。
【００３２】
即ち、録画開始（Ｓ）後に、消去ボタン６が操作されると、制御部１１は記憶部１０に対し、所定時間に記憶された録画データを消去させる。また、上記所定時間は例えば、録画開始時点Ｓ（図５を参照）から、消去ボタン６の第１操作時点Ａ（図５を参照）までの時間である。
【００３３】
次に制御部１１は、記憶部１０に対し、新しい録画位置（即ち、第１操作時点Ａのもの）を記憶させる(図４のＳ９を参照)。
【００３４】
そして制御部１１は、「取消ボタン７がオンしたか否か」の判定を否定する（図４のＳ７を参照）。何故ならば、使用者は、取消ボタン７を押していないからである。
【００３５】
次に制御部１１は、ステップＳ１の直前に戻る。そして制御部１１は、ステップＳ１〜Ｓ７の動作を繰り返す。その結果、記憶部１０内に、第１操作時点Ａ以降の録画データが蓄積して記憶される。
【００３６】
上記録画動作が継続している時、使用者の子供が未だスタート地点に居ない場合、使用者は消去ボタン６を第２回目に操作してものとする。
【００３７】
この時、制御部１１は、ステップＳ６の判定を否定し、記憶部１０に対し、録画データを消去させる（図４のＳ８を参照）。そして記憶部１０は、消去ボタン６の第１操作時点Ａから、消去ボタン６の第２操作時点Ｂまでの時間（これを所定時間と呼ぶ）において記憶された録画データを消去する。
【００３８】
次に制御部１１は、記憶部１０に対し、新しい録画位置を記憶させる（図４のＳ９を参照）。
【００３９】
そして制御部１１は、ステップＳ７を否定し、ステップＳ１の直前に戻り、ステップＳ１〜Ｓ７の動作を繰り返す。その結果、記憶部１０内に、第２操作時点Ｂ以降の録画データが蓄積して記憶される。
【００４０】
上述の動作と同様に、使用者が第３操作時点Ｃ（図５を参照）において、消去ボタン６を操作したものとする。この時、記憶部１０は、消去ボタン６の第２操作時点Ｂから、第３操作時点Ｃまでの時間（所定時間と呼ぶ）において、記憶された録画データを消去する。
【００４１】
同様にして、録画動作が続いている間に、使用者が第４操作時点Ｄ（図５を参照）において、消去ボタン６を操作したものとする。この時、記憶部１０は消去ボタン６の第３操作時点Ｃから、第４操作時点Ｄまでの時間（所定時間と呼ぶ）において、記憶された録画データを消去する。
【００４２】
上述の動作の特徴をまとめる。消去ボタン６が操作されると、制御部１１は、記憶部１０に対し、所定時間に記憶された録画データを消去させる。この時、上記所定時間は、消去ボタン６の第Ｎ（Ｎは1以上の整数）操作時点から、第（Ｎ＋１）操作時点までの時間である。
【００４３】
この様にして、例えば、第４操作時点Ｄの直後に、使用者の子供が、徒競走をスタートしたとすれば、ビデオカメラ装置１は、無駄な録画をする事なく、必要な部分（例えば、我が子が走っているシーンのみ）を録画できる。
【００４４】
その後、使用者が録画ボタン８をオフすれば、制御部１１はステップＳ１を否定し、録画動作を停止し、待ち受け状態となる。
【００４５】
なお、制御部１１は、ステップＳ１の判定を肯定し、ステップＳ３の判定を肯定すると、録画中という認識を解除し（図３のＳ１０を参照）、録画動作を停止させる（図３のＳ１１を参照）。
【００４６】
なお、上述の説明と異なり、使用者が第２操作時点Ｂにおいて、消去ボタン６を操作した場合、制御部１１は、消去ボタン６の第１操作時点Ａから、第２操作時点Ｂより、少し早い時刻Ｂ−１（図５を参照）までの時間（所定時間と呼ぶ）の録画データを消去しても良い。
【００４７】
例えば、使用者の子供が第２操作時点Ｂより、少し早目に走り始めた場合、使用者が第２操作時点Ｂにて、消去ボタン６を操作したものとする。
【００４８】
この時、第１操作時点Ａから、時刻Ｂ−１までの録画データは消去されるが、時刻Ｂ−１以降の録画データは継続して記憶される。その結果、使用者の子供が走り始めてから、走り終わるまでのシーンを録画する事ができる。
【００４９】
即ち、録画データを消去する所定時間は、消去ボタン６の第Ｎ（Ｎは１以上の整数）操作時点から、第（Ｎ＋１）操作時点より早い時刻（Ｂ−１）までの時間としても良い。
【００５０】
また、使用者の子供が第１操作時点Ａの後に、走り始め、使用者が誤って、第２操作時点Ｂにおいて、消去ボタン６を押す場合が考えられる。この場合、使用者は、第２操作時点Ｂ後に、取消ボタン７を操作（押した）したものとする。
【００５１】
この時、制御部１１は「取消ボタン７がオンか否か」の判定を肯定する（図４のＳ７を参照）。そして制御部１１は、録画位置を復帰させる（図４のＳ１２を参照）。即ち、制御部１１は録画位置を第１操作時点Ａに戻す（復帰させる）。次に制御部１１は、録画データを復帰させる（図４のＳ１３を参照）。
【００５２】
上述の動作の特徴をまとめる。取消ボタン７を設ける。消去ボタン６の第（Ｎ＋１）操作時点(例えば、時点Ｂ)後に、取消ボタン７が操作されたとする。制御部１１は、消去ボタン６の第Ｎ操作時点（例えば、時点Ａ）から、取消ボタン７の操作時点Ｂ−２までの録画データを復帰させる。
【００５３】
その結果、記憶部１０において、第Ｎ操作時点（例えば、時点Ａ）以降の録画データが復帰して、記憶される。それ故、使用者が誤って消去ボタン６を押しても、時点Ａ以降の録画データが記憶されるので、使用者のこどもが走り初めてから、走り終わるまでのシーンを録画する事ができる。
【００５４】
なお、このビデオカメラ装置１をテレビジョンに接続し、使用者が再生ボタン９を押す事により、録画データはテレビジョンにより再生される。その結果、使用者等は、使用者の子供が走り始めてから、走り終わるまでのシーンを、テレビジョンにより、見ることができる。また、上述した様に、無駄な録画データを消去しているので、子供が登場しない無駄なシーンを見る事を回避することができる。
【００５５】
【発明の効果】
請求項１の本発明では、制御部と、前記制御部に各々接続された、カメラ部と、記憶部と、消去ボタンとを備え、前記記憶部はランダムにアクセス可能であり、録画開始後に、前記消去ボタンが操作されると、前記制御部は前記記憶部に対し、所定時間に記憶された録画データを消去させるものである。この様に、消去ボタンが操作されると、所定時間に記憶された録画データを消去させるので、ワンタッチで操作でき、従来に比べ、操作性が格段に向上する。
【００５６】
請求項２の本発明では、前記所定時間は、録画開始時点から前記消去ボタンの第１操作時点までの時間、又は、前記消去ボタンの第Ｎ（Ｎは１以上の整数）操作時点から第（Ｎ＋１）操作時点までの時間である。上記構成により、リアルタイムに（即ち、記録動作と略同時進行で）、録画データを消去する事ができる。
【００５７】
請求項３の本発明では、前記所定時間は前記消去ボタンの第Ｎ（Ｎは１以上の整数）操作時点から、第（Ｎ＋１）操作時点より早い時刻までの時間である。上記構成により、使用者が消去タイミングを誤っても、自動的に、録画データを記憶できる。
【００５８】
請求項４の本発明では、取消ボタンを設け、前記消去ボタンの第（Ｎ＋１）操作時点後に前記取消ボタンが操作されると、前記制御部は、前記消去ボタンの第Ｎ（Ｎは１以上の整数）操作時点から、前記取消ボタンの操作時点までの録画データを復帰させる。上記構成により、使用者が消去タイミングを誤っても、取消ボタンを操作する事により、必要な部分の録画データを復帰させる事ができる。
【図面の簡単な説明】
【図１】本発明の実施の形態に係るビデオカメラ装置１の正面図である。
【図２】上記装置１のブロック図である。
【図３】上記装置１のフローチャートである。
【図４】図３に続くフローチャートである。
【図５】上記装置１のタイムチャートである。
【符号の説明】
４  カメラ部
６  消去ボタン
１０  記憶部
１１  制御部
【図１】
2004207812.tif 000003
【図２】
2004207812.tif 000004
【図３】
2004207812.tif 000005
【図４】
2004207812.tif 000006
【図５】
2004207812.tif 000007